(57)【要約】【課題】オーディオファイルの再生を行う場合、１つの高性能なＬＳＩがヘッダ解析からオーディオデータ再生処理までの必要なすべての処理を行うため、処理負荷、消費電力が大きくなり、長時間の音楽再生ができない。【解決手段】記憶装置３０はオーディオファイルの記憶領域とヘッダ解析結果保存部３１を有する。第１のＬＳＩ１０は、ヘッダ情報解析部１３により記憶装置３０からオーディオファイルＡＦのヘッダＡＨを読み出して解析しヘッダ解析結果を記憶装置３０のヘッダ解析結果保存部３１に保存した後、省電力状態に移行する。第２のＬＳＩ２０は、第１のＬＳＩ１０の省電力状態において、記憶装置３０のヘッダ解析結果保存部３１に保存されたヘッダ解析結果に基づいて、記憶装置３０に保持されたオーディオデータＡＤを読み出し再生処理を行う。【選択図】図１
2008059638.tif 000002
【特許請求の範囲】
【請求項１】
オーディオファイルの記憶領域とヘッダ解析結果保存部を有する記憶装置と、前記記憶装置から前記オーディオファイルのヘッダを読み出して解析するヘッダ情報解析部を有する第１のＬＳＩと、前記ヘッダ情報解析部によるヘッダ解析結果に基づいて前記記憶装置からオーディオデータを読み出して再生処理を行う第２のＬＳＩとを備え、
前記第１のＬＳＩは、前記ヘッダ情報解析部による前記ヘッダ解析結果を前記記憶装置の前記ヘッダ解析結果保存部に保存した後、省電力状態に移行するように構成され、
前記第２のＬＳＩは、前記第１のＬＳＩの省電力状態において、前記記憶装置の前記ヘッダ解析結果保存部に保存された前記ヘッダ解析結果に基づいて、前記記憶装置に保持された前記オーディオデータを読み出し再生処理を行うように構成されている音楽再生装置。
【請求項２】
オーディオファイルの記憶領域を有する記憶装置と、前記記憶装置から前記オーディオファイルのヘッダを読み出して解析するヘッダ情報解析部を有する第１のＬＳＩと、前記ヘッダ情報解析部によるヘッダ解析結果を保存するヘッダ解析結果保存部を有し、前記ヘッダ解析結果に基づいて前記記憶装置からオーディオデータを読み出して再生処理を行う第２のＬＳＩとを備え、
前記第１のＬＳＩは、前記ヘッダ情報解析部による前記ヘッダ解析結果を前記第２のＬＳＩの前記ヘッダ解析結果保存部に保存した後、省電力状態に移行するように構成され、
前記第２のＬＳＩは、前記第１のＬＳＩの省電力状態において、前記ヘッダ解析結果保存部に保存された前記ヘッダ解析結果に基づいて、前記記憶装置に保持された前記オーディオデータを読み出し再生処理を行うように構成されている音楽再生装置。
【請求項３】
前記第１のＬＳＩは、そのヘッダ情報解析部が前記記憶装置に保持されているすべての前記オーディオファイルの前記ヘッダを一括して順次に解析し、すべてのヘッダ解析結果を前記ヘッダ解析結果保存部に保存した後、省電力状態に移行するように構成されている請求項１または請求項２に記載の音楽再生装置。
【請求項４】
前記第１のＬＳＩは、さらに、前記記憶装置に保持されたオーディオファイル群の中からユーザが作成したプレイリストを管理するプレイリスト管理部を備え、
前記第１のＬＳＩの前記ヘッダ情報解析部は、前記プレイリスト管理部における前記プレイリストに基づいて、前記記憶装置に保持されている前記オーディオファイルの前記ヘッダを一括して順次に解析し、前記プレイリストに記述された前記オーディオファイルのヘッダ解析結果を前記ヘッダ解析結果保存部に保存した後、省電力状態に移行するように構成されている請求項１または請求項２に記載の音楽再生装置。
【請求項５】
前記第２のＬＳＩは、１つのオーディオファイルの再生処理の開始直後に、次に再生すべきオーディオファイルのヘッダを前記記憶装置から読み出して前記第１のＬＳＩの前記ヘッダ情報解析部に送るように前記記憶装置を制御する並行処理制御部をさらに備え、
前記第２のＬＳＩが前記ヘッダ解析結果保存部に保存された前記ヘッダ解析結果に基づいて前記オーディオファイルを再生中に、前記第１のＬＳＩの前記ヘッダ情報解析部は、前記記憶装置に保持された前記次に再生すべきオーディオファイルのヘッダ解析およびヘッダ解析結果の保存を行い、保存完了後に省電力状態に移行するように構成されている請求項１または請求項２に記載の音楽再生装置。
【請求項６】
前記並行処理制御部は、前記記憶装置から次に再生すべきオーディオファイルのヘッダの前記第１のＬＳＩへの読み出し処理よりも、前記記憶装置から現に再生すべきオーディオファイルのオーディオデータの前記第２のＬＳＩへの読み出し処理を優先させるように構成されている請求項５に記載の音楽再生装置。
【請求項７】
オーディオファイルの記憶領域とヘッダ解析結果保存部を有する記憶装置と、前記記憶装置に対して前記オーディオファイルを保存する第１のＬＳＩと、前記オーディオファイルのヘッダを解析するヘッダ情報解析部を有し、前記ヘッダ情報解析部によるヘッダ解析結果に基づいて前記記憶装置からオーディオデータを読み出して再生処理を行う第２のＬＳＩとを備え、
前記第１のＬＳＩは、前記第２のＬＳＩに対して前記オーディオファイルを前記記憶装置に保持する要求を行い、
前記第２のＬＳＩは、前記第１のＬＳＩによる前記オーディオファイルの保存の要求の際に、前記オーディオファイルのヘッダを前記ヘッダ情報解析部によって解析し、そのヘッダ解析結果を前記記憶装置の前記ヘッダ解析結果保存部に保存し、
前記第１のＬＳＩは、前記ヘッダ解析結果の前記ヘッダ解析結果保存部に対する保存が完了する都度に、省電力状態に移行し、省電力状態において次に保存すべきオーディオファイルがあるときは前記の保存要求を繰り返し、省電力状態において前記記憶装置に保持された前記オーディオファイルを再生するときはその再生の指令を前記第２のＬＳＩに与え、次いで省電力状態に移行し、
前記第２のＬＳＩは、前記第１のＬＳＩの省電力状態において、前記記憶装置の前記ヘッダ解析結果保存部に保存された前記ヘッダ解析結果に基づいて、前記記憶装置に保持された前記オーディオデータを読み出し再生処理を行うように構成されている音楽再生装置。
【請求項８】
前記第１のＬＳＩは、さらに、前記ヘッダ情報解析部が行った前記ヘッダ解析結果を番号付けした上でそのヘッダ番号を管理するヘッダ番号リスト管理部を備え、
前記第１のＬＳＩは、前記第２のＬＳＩによるオーディオファイルの再生に際して、前記ヘッダ番号リスト管理部による前記ヘッダ番号を前記第２のＬＳＩに通知し、次いで省電力状態に移行し、
前記第２のＬＳＩは、前記第１のＬＳＩから通知された前記ヘッダ番号に基づいて前記ヘッダ解析結果保存部にアクセスし、前記ヘッダ解析結果保存部に保存された前記ヘッダ解析結果に基づいて、前記記憶装置に保持された前記オーディオデータを読み出し再生処理を行うように構成されている請求項１または請求項２に記載の音楽再生装置。
【請求項９】
前記第１のＬＳＩは、前記ヘッダ番号リスト管理部の中からランダムに前記ヘッダ番号を選択し、前記第２のＬＳＩに通知することにより、前記ヘッダ番号に対応した前記オーディオファイルをランダムに再生させる請求項８に記載の音楽再生装置。
【請求項１０】
前記第１のＬＳＩは、さらに、前記記憶装置に保持されたオーディオファイル群の中からユーザが作成したプレイリストを管理するプレイリスト管理部を備え、前記プレイリスト管理部による前記プレイリストに従って、前記ヘッダ番号リスト管理部による前記ヘッダ番号を順番に選択して前記第２のＬＳＩに通知する請求項８に記載の音楽再生装置。
【請求項１１】
前記第１のＬＳＩは、さらに、前記記憶装置に保持されたオーディオファイル群の中からユーザが作成したプレイリストを管理するプレイリスト管理部を備え、前記プレイリスト管理部による前記プレイリストに従って、前記ヘッダ番号リスト管理部による前記ヘッダ番号をランダムに選択して前記第２のＬＳＩに通知する請求項８に記載の音楽再生装置。
【請求項１２】
請求項１から請求項１１までのいずれかに記載の音楽再生装置と、前記音楽再生装置における前記第１のＬＳＩに接続されたキー入力部とを備え、第１のＬＳＩは、前記オーディオファイルの再生処理時には省電力状態に移行し、省電力状態で前記キー入力部のキー入力があったときは前記キー入力に従った処理を行うように構成されている音楽再生端末。
【請求項１３】
請求項１から請求項１１までのいずれかに記載の音楽再生装置と、前記音楽再生装置における前記第１のＬＳＩに接続された無線通信部とを備え、第１のＬＳＩは、前記オーディオファイルの再生処理時には省電力状態に移行し、省電力状態で前記無線通信部に無線通信信号入力があったときは前記無線通信信号入力に従った処理を行うように構成されている音楽再生端末。
【発明の詳細な説明】
【技術分野】
【０００１】
本発明は、ヘッダおよびオーディオデータで構成されるオーディオファイルを再生する
音楽再生装置および音楽再生端末にかかわり、特には、低消費電力を実現し長時間の音楽再生を可能とするための技術に関する。
【背景技術】
【０００２】
近年、音楽再生機能をもつ携帯電話や携帯型オーディオプレーヤなどは、パソコン経由でＨＤＤやフラッシュメモリなどの内蔵メモリやＳＤ（Secure Digital）カードなどの外付けメモリカードといった記憶装置にユーザ好みの音楽を保存し、外出先でも手軽に音楽を楽しむことができる。近時は、インターネット回線や携帯電話の通信網を介してコンテンツをダウンロードし、記憶装置に保持して視聴することも可能である。ここで、記憶装置に保持される音楽データは、ＭＰ４やＡＳＦ（AdvancedStreaming Format）といった多重化オーディオファイルで構成されることがある。多重化オーディオファイルは、圧縮されたオーディオデータとオーディオデータの情報・内容の書かれているヘッダで構成される。
【０００３】
図１８は従来のオーディオファイルを再生する音楽再生装置の一例の構成を示すブロック図である。この音楽再生装置は、１つの高性能なＬＳＩ７０と記憶装置３０とで構成されている。ＬＳＩ７０は、ＣＰＵ７１とヘッダ情報解析部７２と記憶装置コントローラ７３とオーディオ再生部７４で構成されている。記憶装置３０に保持されたオーディオファイルＡＦは、オーディオデータＡＤと、オーディオデータＡＤの情報が書かれたヘッダＡＨとで構成される。ＬＳＩ７０は、ＣＰＵ７１が記憶装置３０からオーディオファイルＡＦを読み出し、そのヘッダＡＨをヘッダ情報解析部７２にて解析し、ヘッダ解析結果に従って記憶装置３０からオーディオデータＡＤを読み出し、オーディオ再生部７４を介してオーディオ再生装置４０に送信し、音楽再生を行う。
【０００４】
ところで、こういった高性能なＬＳＩは一般的に消費電力が大きく、長時間の音楽再生がむずかしい。そこで、ＬＳＩを、記憶装置に保持されたオーディオファイルのヘッダの解析処理を行うＬＳＩと、オーディオデータの解凍・再生処理を行うＬＳＩとに分けることにより、各ＬＳＩの処理負荷を低減し、長時間の音楽再生を実現する技術が提案されている（例えば特許文献１参照）。
【０００５】
図１９は特許文献１において、本発明に関係する部分を簡素化して図示したものである。１０はＣＰＵ１１とＬＳＩインタフェース１２を備えた第１のＬＳＩ、２０はＤＳＰ（Digital Signal Processor）２１ａ、ＬＳＩインタフェース２２および記憶装置コントローラ２３を備えた第２のＬＳＩ、３０は記憶装置、８０はＤ／Ａ変換器、４０はオーディオ再生装置である。
【０００６】
記憶装置３０に保持されたオーディオファイルＡＦのファイルシステムといった管理情報を第１のＬＳＩ１０で解析して読出制御情報を生成し、記憶装置３０からオーディオデータを読み出し、第２のＬＳＩ２０のＤＳＰ２１ａに与えることにより、ＤＳＰ２１ａはオーディオファイルＡＦを解凍し、Ｄ／Ａ変換器８０を介してオーディオ再生装置４０に送る。このように構成することにより、ＣＰＵ１１を含む消費電力の大きい第１のＬＳＩ１０の処理負荷を低減させ、長時間の音楽再生を実現する。
【特許文献１】特開２００３−３１６３９５号公報（第４−６頁、第１−２図）
【発明の開示】
【発明が解決しようとする課題】
【０００７】
しかし、特許文献１の技術においては、第２のＬＳＩに設けられたＤＳＰは種々のフォーマットのオーディオファイルのヘッダ解析ができない、これを実現するためには、そのフォーマットのヘッダ解析に対応したＤＳＰを用意する必要がある。
【０００８】
また、記憶装置３０に保存されたオーディオファイルＡＦのファイルシステムといった管理情報の解析を第１のＬＳＩ１０で行うもので、記憶装置３０のセクタサイズ分（例えば、５１２バイト単位）のオーディオファイルを読み出しＤＳＰ２１ａに処理させるごとに、第１のＬＳＩ１０を起動して次に再生すべきオーディオファイルの管理情報を解析し、記憶装置３０からオーディオファイルを読み出しＤＳＰ２１ａに与える必要があり、第１のＬＳＩ１０の頻繁な起動が要求される。
【０００９】
本発明は、このような事情に鑑みて創作したものであり、ヘッダ解析用のＤＳＰを不要としながら第１のＬＳＩの頻繁な起動を不要として、オーディオ再生を低消費電力で実現し、長時間の音楽再生可能とすることを目的としている。
【課題を解決するための手段】
【００１０】
（１）本発明による音楽再生装置は、オーディオファイルの記憶領域とヘッダ解析結果保存部を有する記憶装置と、前記記憶装置から前記オーディオファイルのヘッダを読み出して解析するヘッダ情報解析部を有する第１のＬＳＩと、前記ヘッダ情報解析部によるヘッダ解析結果に基づいて前記記憶装置からオーディオデータを読み出して再生処理を行う第２のＬＳＩとを備え、
前記第１のＬＳＩは、前記ヘッダ情報解析部による前記ヘッダ解析結果を前記記憶装置の前記ヘッダ解析結果保存部に保存した後、省電力状態に移行するように構成され、
前記第２のＬＳＩは、前記第１のＬＳＩの省電力状態において、前記記憶装置の前記ヘッダ解析結果保存部に保存された前記ヘッダ解析結果に基づいて、前記記憶装置に保持された前記オーディオデータを読み出し再生処理を行うように構成されている。
【００１１】
この構成において、第１のＬＳＩはオーディオファイルのヘッダ解析を分担し、第２のＬＳＩはオーディオファイルのファイルシステム管理情報の解析を含めたオーディオファイルの読み出し処理とオーディオデータの再生処理とを分担する。第１のＬＳＩのヘッダ情報解析部は記憶装置から読み出したオーディオファイルのヘッダを解析し、そのヘッダ解析結果を第２のＬＳＩに通知するとともに、記憶装置のヘッダ解析結果保存部に保存し、このヘッダ解析結果の保存が完了すると、省電力状態に移行する。そして、第２のＬＳＩは、記憶装置のヘッダ解析結果保存部に保存されたヘッダ解析結果に基づいて記憶装置からオーディオデータを読み出し、オーディオファイルを再生する。この第２のＬＳＩによる音楽再生中は、第１のＬＳＩが省電力状態となっている。すなわち、第１のＬＳＩの頻繁な起動を不要としながら、オーディオ再生を低消費電力で実現し、結果として、長時間の音楽再生可能とする。
【００１２】
（２）また、本発明による音楽再生装置は、オーディオファイルの記憶領域を有する記憶装置と、前記記憶装置から前記オーディオファイルのヘッダを読み出して解析するヘッダ情報解析部を有する第１のＬＳＩと、前記ヘッダ情報解析部によるヘッダ解析結果を保存するヘッダ解析結果保存部を有し、前記ヘッダ解析結果に基づいて前記記憶装置からオーディオデータを読み出して再生処理を行う第２のＬＳＩとを備え、
前記第１のＬＳＩは、前記ヘッダ情報解析部による前記ヘッダ解析結果を前記第２のＬＳＩの前記ヘッダ解析結果保存部に保存した後、省電力状態に移行するように構成され、
前記第２のＬＳＩは、前記第１のＬＳＩの省電力状態において、前記ヘッダ解析結果保存部に保存された前記ヘッダ解析結果に基づいて、前記記憶装置に保持された前記オーディオデータを読み出し再生処理を行うように構成されている。
【００１３】
この構成において、第１のＬＳＩはオーディオファイルのヘッダ解析を分担し、第２のＬＳＩはオーディオファイルのファイルシステム管理情報の解析を含めたオーディオファイルの読み出し処理とオーディオデータの再生処理とを分担する。第１のＬＳＩのヘッダ情報解析部は記憶装置から読み出したオーディオファイルのヘッダを解析し、そのヘッダ解析結果を第２のＬＳＩに通知するとともに、第２のＬＳＩのヘッダ解析結果保存部に保存し、このヘッダ解析結果の保存が完了すると、省電力状態に移行する。そして、第２のＬＳＩは、ヘッダ解析結果保存部に保存されたヘッダ解析結果に基づいて記憶装置からオーディオデータを読み出し、オーディオファイルを再生する。この第２のＬＳＩによる音楽再生中は、第１のＬＳＩが省電力状態となっている。すなわち、第１のＬＳＩの頻繁な起動を不要としながら、オーディオ再生を低消費電力で実現し、結果として、長時間の音楽再生可能とする。
【００１４】
（３）上記いずれかの音楽再生装置において、前記第１のＬＳＩは、そのヘッダ情報解析部が前記記憶装置に保持されているすべての前記オーディオファイルの前記ヘッダを一括して順次に解析し、すべてのヘッダ解析結果を前記ヘッダ解析結果保存部に保存した後、省電力状態に移行するように構成されているという態様がある。
【００１５】
この場合、オーディオファイルを再生ファイル単位ごとにヘッダ解析するのではなく、記憶装置に保持されている複数のオーディオファイルのすべてについて一括して順次にヘッダ解析を行うことにより、複数のオーディオファイルを連続的に再生処理するに際して、第１のＬＳＩの省電力状態も連続化させることが可能となり、さらなる低消費電力化、長時間再生を可能とする。
【００１６】
（４）また上記いずれかの音楽再生装置において、前記第１のＬＳＩは、さらに、前記記憶装置に保持されたオーディオファイル群の中からユーザが作成したプレイリストを管理するプレイリスト管理部を備え、前記第１のＬＳＩの前記ヘッダ情報解析部は、前記プレイリスト管理部における前記プレイリストに基づいて、前記記憶装置に保持されている前記オーディオファイルの前記ヘッダを一括して順次に解析し、前記プレイリストに記述された前記オーディオファイルのヘッダ解析結果を前記ヘッダ解析結果保存部に保存した後、省電力状態に移行するように構成されているという態様がある。
【００１７】
この場合、記憶装置に保持しているオーディオファイル群においてユーザがプレイリストを作成し、そのプレイリストをプレイリスト管理部で管理させる。そして、一括的なヘッダ解析に際して、プレイリスト基準で複数オーディオファイルのヘッダ解析を行うので、ユーザが所望するプレイリストにおいて連続的な再生処理を行うに際して、第１のＬＳＩの省電力状態も連続化させることが可能となる。
【００１８】
（５）また、上記の構成の音楽再生装置において、前記第２のＬＳＩは、１つのオーディオファイルの再生処理の開始直後に、次に再生すべきオーディオファイルのヘッダを前記記憶装置から読み出して前記第１のＬＳＩの前記ヘッダ情報解析部に送るように前記記憶装置を制御する並行処理制御部をさらに備え、前記第２のＬＳＩが前記ヘッダ解析結果保存部に保存された前記ヘッダ解析結果に基づいて前記オーディオファイルを再生中に、前記第１のＬＳＩの前記ヘッダ情報解析部は、前記記憶装置に保持された前記次に再生すべきオーディオファイルのヘッダ解析およびヘッダ解析結果の保存を行い、保存完了後に省電力状態に移行するように構成されているという態様がある。
【００１９】
このように構成すれば、第１のＬＳＩを省電力状態に移行させる前に、次に再生すべきオーディオファイルのヘッダを第１のＬＳＩのヘッダ情報解析部においてあらかじめ解析するので、先のオーディオファイルの再生処理が終了すると、直ちに次に再生すべきオーディオファイルの再生処理へ移行することが可能で、次のオーディオ再生処理の開始までの時間を短くすることが可能となる。
【００２０】
（６）さらに、上記の並行処理制御部に言及した音楽再生装置において、前記並行処理制御部は、前記記憶装置から次に再生すべきオーディオファイルのヘッダの前記第１のＬＳＩへの読み出し処理よりも、前記記憶装置から現に再生すべきオーディオファイルのオーディオデータの前記第２のＬＳＩへの読み出し処理を優先させるように構成されているという態様がある。
【００２１】
このように構成すれば、並行処理制御部は第２のＬＳＩによるオーディオデータの取得を第１のＬＳＩによる次に再生すべきオーディオファイルのヘッダの取得よりも優先させるので、現に再生すべきオーディオファイルの再生処理が安定したものになる。
【００２２】
（７）また、本発明による音楽再生装置は、オーディオファイルの記憶領域とヘッダ解析結果保存部を有する記憶装置と、前記記憶装置に対して前記オーディオファイルを保存する第１のＬＳＩと、前記オーディオファイルのヘッダを解析するヘッダ情報解析部を有し、前記ヘッダ情報解析部によるヘッダ解析結果に基づいて前記記憶装置からオーディオデータを読み出して再生処理を行う第２のＬＳＩとを備え、
前記第１のＬＳＩは、前記第２のＬＳＩに対して前記オーディオファイルを前記記憶装置に保持する要求を行い、
前記第２のＬＳＩは、前記第１のＬＳＩによる前記オーディオファイルの保存の要求の際に、前記オーディオファイルのヘッダを前記ヘッダ情報解析部によって解析し、そのヘッダ解析結果を前記記憶装置の前記ヘッダ解析結果保存部に保存し、
前記第１のＬＳＩは、前記ヘッダ解析結果の前記ヘッダ解析結果保存部に対する保存が完了する都度に、省電力状態に移行し、省電力状態において次に保存すべきオーディオファイルがあるときは前記の保存要求を繰り返し、省電力状態において前記記憶装置に保持された前記オーディオファイルを再生するときはその再生の指令を前記第２のＬＳＩに与え、次いで省電力状態に移行し、
前記第２のＬＳＩは、前記第１のＬＳＩの省電力状態において、前記記憶装置の前記ヘッダ解析結果保存部に保存された前記ヘッダ解析結果に基づいて、前記記憶装置に保持された前記オーディオデータを読み出し再生処理を行うように構成されている。
【００２３】
この構成において、第１のＬＳＩは、記憶装置に対するオーディオファイルの保存の指令を与え、それが完了すると、省電力状態に移行する。第２のＬＳＩは、保存しようとするオーディオファイルのヘッダ解析をヘッダ情報解析部で行い、ヘッダ解析結果を記憶装置のヘッダ解析結果保存部に保存する。上記の繰り返しによって、複数のオーディオファイルのヘッダ解析とヘッダ解析結果の保存とオーディオファイルの保存が行われ、その都度、第１のＬＳＩは省電力状態に移行する。そして、記憶装置に保持されたオーディオファイルの再生の指示がユーザによって与えられると、省電力状態にあった第１のＬＳＩが起動し、再生指令を第２のＬＳＩに対して与え、再度、省電力状態に移行する。第２のＬＳＩは、記憶装置のヘッダ解析結果保存部に保存されたヘッダ解析結果に基づいて記憶装置からオーディオデータを読み出し、オーディオファイルを再生する。この第２のＬＳＩによる音楽再生中は、第１のＬＳＩが省電力状態となっている。すなわち、第１のＬＳＩの頻繁な起動を不要としながら、オーディオ再生を低消費電力で実現し、結果として、長時間の音楽再生可能とする。さらに、オーディオファイルの再生処理時にヘッダ解析するのではなく、再生処理開始に先立って、オーディオファイルの保存の都度にヘッダ解析を行うので、複数のオーディオファイルを連続的に再生処理するに際して、第１のＬＳＩの省電力状態も連続化させることが可能となり、さらなる低消費電力化、長時間再生を可能とする。
【００２４】
（８）また上記構成の音楽再生装置において、前記第１のＬＳＩは、さらに、前記ヘッダ情報解析部が行った前記ヘッダ解析結果を番号付けした上でそのヘッダ番号を管理するヘッダ番号リスト管理部を備え、
前記第１のＬＳＩは、前記第２のＬＳＩによるオーディオファイルの再生に際して、前記ヘッダ番号リスト管理部による前記ヘッダ番号を前記第２のＬＳＩに通知し、次いで省電力状態に移行し、
前記第２のＬＳＩは、前記第１のＬＳＩから通知された前記ヘッダ番号に基づいて前記ヘッダ解析結果保存部にアクセスし、前記ヘッダ解析結果保存部に保存された前記ヘッダ解析結果に基づいて、前記記憶装置に保持された前記オーディオデータを読み出し再生処理を行うように構成されているという態様がある。
【００２５】
このように構成すれば、再生すべきオーディオファイルの選択に際して、第１のＬＳＩはオーディオファイルの管理番号のみを第２のＬＳＩに通知すればよく、再生すべきオーディオファイルの選択が簡単に行える。
【００２６】
（９）上記のヘッダ番号リスト管理部に言及した音楽再生装置において、前記第１のＬＳＩは、前記ヘッダ番号リスト管理部の中からランダムに前記ヘッダ番号を選択し、前記第２のＬＳＩに通知することにより、前記ヘッダ番号に対応した前記オーディオファイルをランダムに再生させるという態様がある。この場合、記憶装置に保持されたオーディオファイルをランダムに再生することが可能となる。
【００２７】
（１０）上記（８）の音楽再生装置において、前記第１のＬＳＩは、さらに、前記記憶装置に保持されたオーディオファイル群の中からユーザが作成したプレイリストを管理するプレイリスト管理部を備え、前記プレイリスト管理部による前記プレイリストに従って、前記ヘッダ番号リスト管理部による前記ヘッダ番号を順番に選択して前記第２のＬＳＩに通知するという態様がある。この場合、プレイリストに記述された順番にヘッダ番号を第２のＬＳＩに通知して、ユーザが所望するプレイリストにおいて連続的な再生処理を行うことが可能になる。
【００２８】
（１１）また、上記（８）の音楽再生装置において、前記第１のＬＳＩは、さらに、前記記憶装置に保持されたオーディオファイル群の中からユーザが作成したプレイリストを管理するプレイリスト管理部を備え、前記プレイリスト管理部による前記プレイリストに従って、前記ヘッダ番号リスト管理部による前記ヘッダ番号をランダムに選択して前記第２のＬＳＩに通知するという態様がある。この場合、ユーザが所望するプレイリストにおいてランダムな再生処理を行うことが可能になる。
【００２９】
（１２）本発明による音楽再生端末は、上記いずれかの音楽再生装置と、前記音楽再生装置における前記第１のＬＳＩに接続されたキー入力部とを備え、第１のＬＳＩは、前記オーディオファイルの再生処理時には省電力状態に移行し、省電力状態で前記キー入力部のキー入力があったときは前記キー入力に従った処理を行うように構成されているものである。
【００３０】
（１３）また、本発明による音楽再生端末は、上記いずれかの音楽再生装置と、前記音楽再生装置における前記第１のＬＳＩに接続された無線通信部とを備え、第１のＬＳＩは、前記オーディオファイルの再生処理時には省電力状態に移行し、省電力状態で前記無線通信部に無線基地局からの信号やオーディオファイルのダウンロードといった無線通信信号入力があったときは前記無線通信信号入力に従った処理を行うように構成されているものである。
【発明の効果】
【００３１】
本発明によれば、第１のＬＳＩと第２のＬＳＩとでオーディオファイルのヘッダ解析とオーディオデータの再生との処理を分担し、第２のＬＳＩでオーディオデータの再生処理中は、第１のＬＳＩを省電力状態に移行させることにより、オーディオ再生を低消費電力化し、長時間の音楽再生を実現することができる。
【発明を実施するための最良の形態】
【００３２】
以下、本発明にかかわる音楽再生装置の実施の形態を図面を用いて詳細に説明する。
【００３３】
（実施の形態１）
図１は、本発明の実施の形態１における音楽再生装置の構成を示すブロック図である。図２、図３、図４は、実施の形態１の変形の態様の音楽再生装置の構成を示すブロック図である。
【００３４】
本実施の形態の音楽再生装置は、第１のＬＳＩ１０と第２のＬＳＩ２０と記憶装置３０とから構成されている。第１のＬＳＩ１０は、ＣＰＵ１１とＬＳＩインタフェース１２とヘッダ情報解析部１３を備えている。第２のＬＳＩ２０は、ＣＰＵ２１とＬＳＩインタフェース２２と記憶装置コントローラ２３とオーディオ再生部２４を備えている。オーディオファイルＡＦを記憶する記憶装置３０は、ヘッダ解析結果保存部３１を備えている。
【００３５】
第１のＬＳＩ１０におけるＣＰＵ１１は、ＬＳＩインタフェース１２，２２および記憶装置コントローラ２３を介して記憶装置３０に保持されたオーディオファイルＡＦのヘッダＡＨを読み出し、第１のＬＳＩ１０におけるヘッダ情報解析部１３は読み出したヘッダＡＨの解析を行う。このヘッダ解析結果をＬＳＩインタフェース１２，２２を介して第２のＬＳＩ２０のＣＰＵ２１に通知し、さらに記憶装置コントローラ２３を介して記憶装置３０のヘッダ解析結果保存部３１に保存する。
【００３６】
第２のＬＳＩ２０におけるＣＰＵ２１は、記憶装置コントローラ２３を介して記憶装置３０におけるヘッダ解析結果保存部３１にアクセスし、そこに保存されているヘッダ解析結果に基づいてオーディオデータＡＤを読み出し、オーディオ再生部２４を介してオーディオ再生装置４０に送信し、オーディオファイルＡＦを再生する。
【００３７】
このような構成の音楽再生装置において、第２のＬＳＩ２０による音楽再生中は、第１のＬＳＩ１０を省電力状態Ｘに移行させる。
【００３８】
本実施の形態において、記憶装置コントローラ２３は第２のＬＳＩ２０外にあってもよい。例えば、図２の音楽再生装置は、第１のＬＳＩ１０が記憶装置コントローラ１４を有し、記憶装置３０を制御する。また、図３の音楽再生装置は、第１のＬＳＩ１０、第２のＬＳＩ２０の外部に記憶装置コントローラ５０を有し、記憶装置３０を制御する。また、図４の音楽再生装置は、第１のＬＳＩ１０内に記憶装置コントローラ１４を有するとともに、第２のＬＳＩ２０内に記憶装置コントローラ２３を有し、ワイヤードオアで記憶装置３０に接続されている。このような変形の態様は、以下に説明する実施の形態についても同様に適用可能である。
【００３９】
次に、上記のように構成された本実施の形態の音楽再生装置の動作を図５の動作シーケンス図に従って説明する。
【００４０】
第１のＬＳＩ１０におけるヘッダ情報解析部１３は、記憶装置３０よりヘッダＡＨを取得し（Ｓ１）、ヘッダＡＨの解析を行う（Ｓ２）。このヘッダ解析結果を第２のＬＳＩ２０におけるＣＰＵ２１に通知し（Ｓ３）、かつ記憶装置３０に保存する（Ｓ４）。記憶装置３０は、第１のＬＳＩ１０に対して保存完了通知を送信する（Ｓ５）。第１のＬＳＩ１０におけるＣＰＵ１１は、記憶装置３０より保存完了通知を受け取ると（Ｓ５）、省電力状態Ｘに移行する。
【００４１】
第２のＬＳＩ２０におけるＣＰＵ２１は、記憶装置３０に保持されたヘッダ解析結果に従って、記憶装置３０よりオーディオデータＡＤを取得し（Ｓ１１）、オーディオデータＡＤの解凍後、再生データをオーディオ再生装置４０に送信する（Ｓ１２）。これらオーディオ再生処理Ｙをオーディオデータサイズ分繰り返し、オーディオファイルＡＦの再生が完了すると、第１のＬＳＩ１０に再生完了通知を行う（Ｓ１３）。第１のＬＳＩ１０におけるＣＰＵ１１は、再生完了通知を受け取ると（Ｓ１３）、省電力状態Ｘを解除する。
【００４２】
その後、次に再生すべきオーディオファイルＡＦについても、上記のシーケンスを繰り返し実施する。
【００４３】
すなわち、上記の構成により、処理時間のかかるオーディオ再生処理Ｙ中は、第１のＬＳＩ１０を省電力状態Ｘに移行させることにより、音楽再生装置全体としての消費電力を低減させることが可能となり、その結果、長時間の音楽再生を行うことが可能となる。第２のＬＳＩ２０にはヘッダ解析用のＤＳＰは不要である。
【００４４】
（実施の形態２）
図６は、本発明の実施の形態２における音楽再生装置の構成を示すブロック図である。図６において、実施の形態１の図１におけるのと同じ符号は同一構成要素を指している。実施の形態１ではヘッダ解析結果保存部３１が記憶装置３０に設けられているのに対して、本実施の形態では第２のＬＳＩ２０に、ヘッダ情報解析部１３がヘッダＡＨに対して行って得たヘッダ解析結果を保存するためのヘッダ解析結果保存部２５が設けられている。
【００４５】
第２のＬＳＩ２０におけるＣＰＵ２１は、ヘッダ解析結果保存部２５に保存されているヘッダ解析結果に基づき、記憶装置コントローラ２３を介して記憶装置３０にアクセスしてオーディオデータＡＤを読み出し、オーディオ再生部２４を介してオーディオ再生装置４０に送信し、オーディオファイルＡＦを再生する。
【００４６】
このような構成の音楽再生装置において、第２のＬＳＩ２０による音楽再生中は、第１のＬＳＩ１０を省電力状態Ｘに移行させる。
【００４７】
次に、上記のように構成された本実施の形態の音楽再生装置の動作を図７の動作シーケンス図に従って説明する。実施の形態１の場合の図５に対して、Ｓ６のヘッダ解析結果通知・保存とＳ７の保存完了通知が相違している。
【００４８】
第１のＬＳＩ１０におけるヘッダ情報解析部１３は、記憶装置３０よりヘッダＡＨを取得し（Ｓ１）、ヘッダＡＨの解析を行う（Ｓ２）。このヘッダ解析結果を第２のＬＳＩ２０のＣＰＵ２１に通知するとともに、ヘッダ解析結果保存部２５に保存する（Ｓ６）。第２のＬＳＩ２０は、第１のＬＳＩ１０に対して保存完了通知を送信する（Ｓ７）。第１のＬＳＩ１０におけるＣＰＵ１１は、第２のＬＳＩ２０より保存完了通知を受け取ると（Ｓ７）、省電力状態Ｘに移行する。
【００４９】
第２のＬＳＩ２０におけるＣＰＵ２１は、ヘッダ解析結果保存部２５に保存されたヘッダ解析結果に従って、記憶装置３０よりオーディオデータＡＤを取得し（Ｓ１１）、オーディオデータＡＤの解凍後、再生データをオーディオ再生装置４０に送信する（Ｓ１２）。これらオーディオ再生処理Ｙをオーディオデータサイズ分繰り返し、オーディオファイルＡＦの再生が完了すると、第１のＬＳＩ１０に再生完了通知を行う（Ｓ１３）。第１のＬＳＩ１０におけるＣＰＵ１１は、再生完了通知を受け取ると（Ｓ１３）、省電力状態Ｘを解除する。
【００５０】
その後、次に再生すべきオーディオファイルＡＦについても上記のシーケンスを繰り返し実施する。
【００５１】
すなわち、上記の構成により、処理時間のかかるオーディオ再生処理Ｙ中は、第１のＬＳＩ１０を省電力状態Ｘに移行させることにより、音楽再生装置全体としての消費電力を低減させることが可能となり、その結果、長時間の音楽再生を行うことが可能となる。第２のＬＳＩ２０にはヘッダ解析用のＤＳＰは不要である。
【００５２】
（実施の形態３）
本発明の実施の形態３における音楽再生装置は、図１の構成を有し、記憶装置３０にオーディオファイルＡＦが複数保存されている場合に、複数のオーディオファイルＡＦ分すべて一括して順次にヘッダＡＨの解析を行うように構成されている。
【００５３】
次に、上記のように構成された本実施の形態の音楽再生装置の動作を図８の動作シーケンス図に従って説明する。
【００５４】
第１のＬＳＩ１０におけるヘッダ情報解析部１３は、記憶装置３０よりヘッダＡＨを取得し（Ｓ１）、ヘッダＡＨの解析を行う（Ｓ２）。このヘッダ解析結果を第２のＬＳＩ２０におけるＣＰＵ２１に通知し（Ｓ３）、かつ記憶装置３０に保存する（Ｓ４）。このヘッダＡＨの取得からヘッダ解析結果の処理を、記憶装置３０に保持されたオーディオファイルＡＦの個数分繰り返す。
【００５５】
記憶装置３０に保持されたすべてのオーディオファイルＡＦのヘッダ解析が完了すると、記憶装置３０は第１のＬＳＩ１０に対して保存完了通知を行う（Ｓ５）。第１のＬＳＩ１０におけるＣＰＵ１１は、記憶装置３０より保存完了通知を受け取ると（Ｓ５）、省電力状態Ｘに移行する。
【００５６】
第２のＬＳＩ２０におけるＣＰＵ２１は、記憶装置３０に保持されたヘッダ解析結果に従って、記憶装置３０よりオーディオデータＡＤを取得し（Ｓ１１）、オーディオデータＡＤの解凍後、再生データをオーディオ再生装置４０に送信する（Ｓ１２）。これらオーディオ再生処理Ｙをオーディオデータサイズ分繰り返す。
【００５７】
１つのオーディオファイルＡＦの再生が完了すると、次に再生すべきオーディオファイルＡＦについても上記のシーケンスを繰り返し実施する。第２のＬＳＩ２０におけるＣＰＵ２１は、記憶装置３０に保持されたすべてのオーディオファイルＡＦについて、既に保存済みのヘッダ解析結果に従い繰り返しオーディオ再生を行う。したがって、第１のＬＳＩ１０の省電力状態Ｘを長くすることができる。
【００５８】
本実施の形態によれば、オーディオファイルＡＦを再生ファイル単位ごとにヘッダ解析するのではなく、記憶装置３０に保持されている複数のオーディオファイルＡＦのすべてについて一括して順次にヘッダ解析を行うことにより、複数のオーディオファイルＡＦを連続的に再生処理するに際して、第１のＬＳＩ１０の省電力状態Ｘも連続化させることができ、さらなる低消費電力化、長時間再生を可能とする。
【００５９】
（実施の形態４）
図９は、本発明の実施の形態４における音楽再生装置の構成を示すブロック図である。図９において、実施の形態１の図１におけるのと同じ符号は同一構成要素を指している。本実施の形態では、第１のＬＳＩ１０にプレイリスト管理部１５を備えている。プレイリスト管理部１５は、記憶装置３０に保持されたすべてのオーディオファイルＡＦの中からユーザが作成したプレイリストを管理するものである。第１のＬＳＩ１０におけるＣＰＵ１１は、プレイリスト管理部１５にあるプレイリストを参照して、記憶装置３０に保持されたすべてのオーディオファイルＡＦのヘッダＡＨを読み出し、ヘッダ情報解析部１３はヘッダＡＨの解析を行う。
【００６０】
このような構成の音楽再生装置において、第２のＬＳＩ２０による音楽再生中は、第１のＬＳＩ１０を省電力状態Ｘに移行させる。
【００６１】
次に、上記のように構成された本実施の形態の音楽再生装置の動作を図１０の動作シーケンス図に従って説明する。
【００６２】
第１のＬＳＩ１０におけるヘッダ情報解析部１３は、記憶装置３０よりヘッダＡＨを取得し（Ｓ１）、ヘッダＡＨの解析を行う（Ｓ２）。このヘッダ解析結果を第２のＬＳＩ２０におけるＣＰＵ２１に通知し（Ｓ３）、かつ記憶装置３０に保存する（Ｓ４）。このヘッダＡＨの取得からヘッダ解析結果の処理を、プレイリスト管理部１５におけるプレイリストに記述されたオーディオファイルＡＦの個数分繰り返す。
【００６３】
プレイリストに記述されたすべてのオーディオファイルＡＦのヘッダ解析が完了すると、記憶装置３０は第１のＬＳＩ１０に対して保存完了通知を行う（Ｓ５）。第１のＬＳＩ１０におけるＣＰＵ１１は、記憶装置３０より保存完了通知を受け取ると（Ｓ５）、省電力状態Ｘに移行する。
【００６４】
第２のＬＳＩ２０におけるＣＰＵ２１は、記憶装置３０に保持されたヘッダ解析結果に従って、記憶装置３０よりオーディオデータＡＤを取得し（Ｓ１１）、オーディオデータＡＤの解凍後、再生データをオーディオ再生装置４０に送信する（Ｓ１２）。これらオーディオ再生処理Ｙをオーディオデータサイズ分繰り返す。
【００６５】
１つのオーディオファイルＡＦの再生が完了すると、次に再生すべきオーディオファイルＡＦについても上記のシーケンスを繰り返し実施する。第２のＬＳＩ２０におけるＣＰＵ２１は、プレイリスト管理部１５におけるプレイリストに記述されたすべてのオーディオファイルＡＦについて、既に保存済みのヘッダ解析結果に従い繰り返しオーディオ再生を行う。したがって、第１のＬＳＩ１０の省電力状態Ｘを長くすることができ、かつユーザの作成したプレイリストに従ったオーディオ再生が可能となる。
【００６６】
本実施の形態によれば、記憶装置３０に保持しているオーディオファイルＡＦ群においてユーザが作成したプレイリストをプレイリスト管理部１５で管理させ、一括的なヘッダ解析に際して、プレイリスト基準で複数のオーディオファイルＡＦのヘッダ解析を行うもので、ユーザが所望するプレイリストにおいて連続的な再生処理を行うに際して、第１のＬＳＩ１０の省電力状態Ｘも連続化させることができる。
【００６７】
（実施の形態５）
図１１は、本発明の実施の形態５における音楽再生装置の構成を示すブロック図である。図１１において、実施の形態１の図１におけるのと同じ符号は同一構成要素を指している。本実施の形態では、第２のＬＳＩ２０に並行処理制御部２６を備えている。並行処理制御部２６は、第２のＬＳＩ２０による１つのオーディオファイルの再生処理の開始直後に、第１のＬＳＩ１０に対して次に再生すべきオーディオファイルＡＦのヘッダＡＨの解析を行うように通知するとともに、そのオーディオファイルＡＦのヘッダＡＨを記憶装置３０から読み出して第１のＬＳＩのヘッダ情報解析部１３に送るように記憶装置３０を制御するものとして構成されている。また、並行処理制御部２６は、オーディオ再生を安定化するために、記憶装置３０から次に再生すべきオーディオファイルＡＦのヘッダＡＨの第１のＬＳＩ１０への読み出し処理よりも、記憶装置３０から現に再生すべきオーディオファイルＡＦのオーディオデータＡＤの第２のＬＳＩ２０への読み出し処理を優先させるように構成されている。第１のＬＳＩ１０におけるＣＰＵ１１は、第２のＬＳＩ２０によるオーディオ再生中に、並行処理制御部２６からの通知を受けると、ヘッダ情報解析部１３は次に再生すべきオーディオファイルＡＦのヘッダＡＨを解析し、ヘッダ解析結果を第２のＬＳＩ２０におけるＣＰＵ２１に通知するとともに、記憶装置３０におけるヘッダ解析結果保存部３１に保存する。その後、第１のＬＳＩ１０を省電力状態Ｘに移行させる。
【００６８】
次に、上記のように構成された本実施の形態の音楽再生装置の動作を図１２の動作シーケンス図に従って説明する。
【００６９】
第１のＬＳＩ１０におけるヘッダ情報解析部１３は、記憶装置３０よりヘッダＡＨを取得し（Ｓ１）、ヘッダＡＨの解析を行う（Ｓ２）。このヘッダ解析結果を第２のＬＳＩ２０におけるＣＰＵ２１に通知し（Ｓ３）、かつ記憶装置３０におけるヘッダ解析結果保存部３１に保存する（Ｓ４）。記憶装置３０は、第１のＬＳＩ１０に対して保存完了通知を送信する（Ｓ５）。
【００７０】
次いで、第２のＬＳＩ２０はオーディオ再生処理Ｙに進み、第２のＬＳＩ２０におけるＣＰＵ２１は、第１のＬＳＩ１０のヘッダ解析結果に従って、記憶装置３０よりオーディオデータＡＤを取得し（Ｓ１１）、オーディオデータＡＤの解凍後、再生データをオーディオ再生装置４０に送信する（Ｓ１２）。
【００７１】
そして、本実施の形態においては、この後、第１のＬＳＩ１０は直ちに省電力状態Ｘに入ることはせず、第２のＬＳＩ２０によるオーディオ再生処理Ｙと並行して、記憶装置３０から次に再生すべきオーディオファイルＡＦのヘッダＡＨを取得し（Ｓ１）、ヘッダを解析し（Ｓ２）、ヘッダ解析結果を第２のＬＳＩ２０におけるＣＰＵ２１に通知するとともに（Ｓ３）、記憶装置３０における保存完了通知に保存する（Ｓ４）。２回目のヘッダＡＨの取得（Ｓ１）、ヘッダ解析（Ｓ２）よりもオーディオデータＡＤの取得（Ｓ１１）、再生データの送信（Ｓ１２）の方が優先されている。そして、第１のＬＳＩ１０は、記憶装置３０より保存完了通知を受け取ると（Ｓ５）、省電力状態Ｘに移行する。
【００７２】
その後、第２のＬＳＩ２０によるオーディオ再生処理Ｙが行われている間、第１のＬＳＩ１０は省電力状態Ｘを保持する。先のオーディオファイルＡＦの再生処理が終了すると、第２のＬＳＩ２０は次に再生すべきオーディオファイルＡＦの再生処理に移行する。次に再生すべきオーディオファイルＡＦについては、すでにそのヘッダＡＨの解析が終了し、ヘッダ解析結果が記憶装置３０のヘッダ解析結果保存部３１に保存されているので、第２のＬＳＩ２０による次に再生すべきオーディオファイルＡＦの再生処理は可能である。このようにヘッダＡＨの解析をすでに終えているので、次のオーディオ再生処理の開始までの時間を短くすることができる。
【００７３】
このように、次のオーディオ再生処理が開始されると、さらに次に再生すべきオーディオファイルＡＦのヘッダＡＨの解析を行うために、第１のＬＳＩ１０は、省電力状態Ｘを解除する。そして、省電力状態Ｘを解除した上で、その次に再生すべきオーディオファイルＡＦのヘッダＡＨの取得（Ｓ１）、ヘッダ解析（Ｓ２）へ進む。そのヘッダ解析が終了すると、第１のＬＳＩ１０は再度の省電力状態Ｘへ入る。
【００７４】
以降、上記のシーケンスを繰り返し実施する。
【００７５】
本実施の形態によれば、処理時間のかかる第２のＬＳＩ２０によるオーディオ再生処理Ｙに対して、第１のＬＳＩ１０を省電力状態Ｘに移行させるので、音楽再生装置全体としての消費電力を低減させることが可能となり、その結果、長時間の音楽再生を行うことが可能となる。
【００７６】
また、第１のＬＳＩ１０を省電力状態Ｘに移行させる前に、次に再生すべきオーディオファイルＡＦのヘッダＡＨを第１のＬＳＩ１０においてあらかじめ解析するので、先のオーディオファイルＡＦの再生処理Ｙが終了すると、直ちに次に再生すべきオーディオファイルＡＦの再生処理Ｙへ移行することが可能で、次のオーディオ再生処理の開始までの時間を短くすることができる。
【００７７】
また、並行処理制御部２６は、第２のＬＳＩ２０によるオーディオデータＡＤの取得（Ｓ１１）を、第１のＬＳＩ１０によるヘッダＡＨの取得（Ｓ１）および解析（Ｓ２）よりも優先させるので、オーディオ再生処理Ｙを安定したものにすることができる。
【００７８】
（実施の形態６）
図１３は、本発明の実施の形態６における音楽再生装置の構成を示すブロック図である。図１３において、実施の形態１の図１におけるのと同じ符号は同一構成要素を指している。実施の形態１ではヘッダ情報解析部１３が第１のＬＳＩ１０に設けられているのに対して、本実施の形態では、第２のＬＳＩ２０にヘッダ情報解析部２７が設けられている。ヘッダ情報解析部２７は、第１のＬＳＩ１０が記憶装置３０にオーディオファイルＡＦを保存する際に、オーディオファイルＡＦのヘッダＡＨの解析を行う。オーディオファイルＡＦとヘッダＡＨのヘッダ解析結果を記憶装置３０のヘッダ解析結果保存部３１に保存した後、第１のＬＳＩ１０を省電力状態Ｘに移行させる。
【００７９】
次に、上記のように構成された本実施の形態の音楽再生装置の動作を図１４の動作シーケンス図に従って説明する。
【００８０】
第１のＬＳＩ１０におけるＣＰＵ１１は、第２のＬＳＩ２０にオーディオファイルＡＦの保存を要求する（Ｓ０１）。第２のＬＳＩ２０におけるＣＰＵ２１は、このオーディオファイルＡＦのヘッダ解析を行い（Ｓ０２）、オーディオファイルＡＦおよびヘッダ解析結果を記憶装置３０におけるヘッダ解析結果保存部３１に保存する（Ｓ０３）。記憶装置３０は、保存処理が完了すると、第１のＬＳＩ１０に対して保存完了通知を行う（Ｓ０４）。そして、第１のＬＳＩ１０は省電力状態Ｘに移行する。
【００８１】
次に再生すべきオーディオファイルＡＦがきたときは、第１のＬＳＩ１０の省電力状態Ｘを解除し、上記と同様のシーケンスを繰り返す。
【００８２】
その後、ユーザの再生開始操作に従って、第１のＬＳＩ１０におけるＣＰＵ１１は、省電力状態Ｘを解除し、第２のＬＳＩ２０にオーディオ再生通知を行う（Ｓ０５）。第２のＬＳＩ２０より再生通知受信通知を受け取ると（Ｓ０６）、第１のＬＳＩ１０は再び省電力状態Ｘに移行する。
【００８３】
第２のＬＳＩ２０におけるＣＰＵ２１は、受け取ったオーディオ再生通知（Ｓ０５）に従い、オーディオ再生処理Ｙを行う。すなわち、第２のＬＳＩ２０におけるＣＰＵ２１は、記憶装置３０に保持されたヘッダ解析結果に従って、記憶装置３０よりオーディオデータＡＤを取得し（Ｓ１１）、オーディオデータＡＤの解凍後、再生データをオーディオ再生装置４０に送信する（Ｓ１２）。これらオーディオ再生処理Ｙをオーディオデータサイズ分繰り返す。
【００８４】
１つのオーディオファイルＡＦの再生が完了すると、次に再生すべきオーディオファイルＡＦについても上記のシーケンスを繰り返し実施する。
【００８５】
本実施の形態によれば、処理時間のかかるオーディオ再生処理Ｙ中は、第１のＬＳＩ１０を省電力状態Ｘに移行させることにより、音楽再生装置全体としての消費電力を低減させることが可能となり、その結果、長時間の音楽再生を行うことが可能となる。
【００８６】
また、オーディオファイルＡＦの保存時に第２のＬＳＩ２０にてヘッダ解析（Ｓ０２）を行うことにより、オーディオ再生時に必要なヘッダ解析処理時間分、再生開始までの時間を短くすることができる。加えて、オーディオファイルＡＦの再生中の第１のＬＳＩ１０の処理負荷をさらに低減することができる。
【００８７】
初期の段階でオーディオファイルＡＦを記憶装置３０に格納する際に、そのオーディオファイルＡＦのヘッダＡＨの解析を行ってしまい、そのヘッダ解析結果を記憶装置３０のヘッダ解析結果保存部３１に格納しておくので、複数のオーディオファイルＡＦに対するオーディオ再生処理Ｙにおいて、第１のＬＳＩ１０を省電力状態Ｘに保持したまま、それら複数のオーディオ再生処理Ｙを連続して実行することができる。
【００８８】
（実施の形態７）
図１５は、本発明の実施の形態７における音楽再生装置の構成を示すブロック図である。図１５において、実施の形態１の図１におけるのと同じ符号は同一構成要素を指している。本実施の形態では、第１のＬＳＩ１０にヘッダ番号リスト管理部１６を備えている。ヘッダ番号リスト管理部１６は、ヘッダ情報解析部１３が行ったヘッダ解析結果を番号付けした上でそのヘッダ番号を管理するものである。
【００８９】
第１のＬＳＩ１０におけるＣＰＵ１１は、ＬＳＩインタフェース１２，２２および記憶装置コントローラ２３を介して記憶装置３０に保持されたオーディオファイルＡＦのヘッダＡＨを読み出し、ヘッダ情報解析部１３は読み出したヘッダＡＨの解析を行う。このヘッダ解析結果を第２のＬＳＩ２０におけるＣＰＵ２１に通知するとともに、記憶装置３０におけるヘッダ解析結果保存部３１に保存する。また、このヘッダ解析結果を番号付けし、ヘッダ番号リスト管理部１６にてこの番号をリスト管理する。
【００９０】
オーディオ再生時は、第１のＬＳＩ１０におけるＣＰＵ１１は、ヘッダ番号リスト管理部１６にて保存されたヘッダ番号を第２のＬＳＩ２０におけるＣＰＵ２１に通知する。このヘッダ番号の通知を受けた第２のＬＳＩ２０におけるＣＰＵ２１は、ヘッダ番号に基づいて記憶装置３０のヘッダ解析結果保存部３１にアクセスし、ヘッダ解析結果保存部３１に保存されているヘッダ解析結果に基づき、記憶装置コントローラ２３を介してオーディオデータＡＤを読み出し、オーディオ再生部２４を介してオーディオ再生装置４０に送信し、オーディオファイルＡＦを再生する。
【００９１】
第２のＬＳＩ２０による音楽再生中は、第１のＬＳＩ１０を省電力状態Ｘに移行させる。
【００９２】
第１のＬＳＩ１０におけるＣＰＵ１１はオーディオファイルＡＦの管理番号のみを第２のＬＳＩ２０におけるＣＰＵ２１に通知することにより、再生するオーディオファイルＡＦの選択が簡単になる。
【００９３】
また、第１のＬＳＩ１０におけるＣＰＵ１１は、ヘッダ番号リスト管理部１６に保存された番号からランダムに選択し、第２のＬＳＩ２０におけるＣＰＵ２１に通知することにより、記憶装置３０に保持されたオーディオファイルＡＦをランダムに再生することも可能である。
【００９４】
（実施の形態８）
図１６は、本発明の実施の形態８における音楽再生装置の構成を示すブロック図である。図１６において、実施の形態７の図１５におけるのと同じ符号は同一構成要素を指している。本実施の形態では、記憶装置３０に保持されたすべてのオーディオファイルＡＦの中からユーザが作成したプレイリストを管理するプレイリスト管理部１５を備えている。第１のＬＳＩ１０におけるＣＰＵ１１は、プレイリスト管理部１５にあるプレイリストに従って、ヘッダ番号リスト管理部１６に保存された番号を順番に選択し、第２のＬＳＩ２０におけるＣＰＵ２１に通知することにより、プレイリストに記述されたオーディオファイルＡＦを再生することも可能である。
【００９５】
あるいは、第１のＬＳＩ１０におけるＣＰＵ１１は、プレイリスト管理部１５にあるプレイリストに従って、ヘッダ番号リスト管理部１６に保存された番号をランダムに選択し、第２のＬＳＩ２０におけるＣＰＵ２１に通知することにより、プレイリストに記述されたオーディオファイルＡＦをランダムに再生することも可能である。
【００９６】
（その他の実施の形態）
本発明は、例えば図１７に示すような音楽再生端末に応用することが可能である。
【００９７】
図１７において、第１のＬＳＩ１０におけるＣＰＵ１１は、無線通信部６１、液晶表示装置（ＬＣＤ）６２、キー入力部６３を制御し、かつ記憶装置３０に保持されたオーディオファイルＡＦのヘッダＡＨの解析を行う。
【００９８】
第２のＬＳＩ２０がオーディオ再生処理中は、第１のＬＳＩ１０におけるＣＰＵ１１は省電力状態に移行し、無線通信信号入力やキー入力などの外部イベントが発生した場合に、省電力状態から復帰し、外部イベントに対応した処理を行う。
【００９９】
すなわち、上記の構成により、オーディオ再生時には第１のＬＳＩを省電力状態に移行させることにより、音楽再生端末としての消費電力を低減させることが可能となり、その結果、長時間の音楽再生が可能となる。
【産業上の利用可能性】
【０１００】
本発明にかかる音楽再生装置は、ヘッダとオーディオデータで構成されるオーディオファイルを再生する携帯型の音楽再生機器や音楽再生機能をもつ携帯電話などの電子機器として有用である。またオーディオデータＡＤ再生に限らず、動画データ再生機能をもった携帯端末機器などの用途にも応用できる。
【図面の簡単な説明】
【０１０１】
【図１】本発明の実施の形態１における音楽再生装置の構成を示すブロック図
【図２】本発明の実施の形態１の変形の態様における音楽再生装置の構成を示すブロック図
【図３】本発明の実施の形態１の変形の態様における音楽再生装置の構成を示すブロック図
【図４】本発明の実施の形態１の変形の態様における音楽再生装置の構成を示すブロック図
【図５】本発明の実施の形態１における音楽再生装置の動作を示す動作シーケンス図
【図６】本発明の実施の形態２における音楽再生装置の構成を示すブロック図
【図７】本発明の実施の形態２における音楽再生装置の動作を示す動作シーケンス図
【図８】本発明の実施の形態３における音楽再生装置の動作を示す動作シーケンス図
【図９】本発明の実施の形態４における音楽再生装置の構成を示すブロック図
【図１０】本発明の実施の形態４における音楽再生装置の動作を示す動作シーケンス図
【図１１】本発明の実施の形態５における音楽再生装置の構成を示すブロック図
【図１２】本発明の実施の形態５における音楽再生装置の動作を示す動作シーケンス図
【図１３】本発明の実施の形態６における音楽再生装置の構成を示すブロック図
【図１４】本発明の実施の形態６における音楽再生装置の動作を示す動作シーケンス図
【図１５】本発明の実施の形態７における音楽再生装置の構成を示すブロック図
【図１６】本発明の実施の形態８における音楽再生装置の構成を示すブロック図
【図１７】本発明の実施の形態における音楽再生端末の構成を示すブロック図
【図１８】従来の音楽再生装置の構成を示すブロック図
【図１９】従来の音楽再生装置の構成の他の例を示すブロック図
【符号の説明】
【０１０２】
１０  第１のＬＳＩ
１１  ＣＰＵ
１２  ＬＳＩインタフェース
１３  ヘッダ情報解析部
１４  記憶装置コントローラ
１５  プレイリスト管理部
１６  ヘッダ番号リスト管理部
２０  第２のＬＳＩ
２１  ＣＰＵ
２２  ＬＳＩインタフェース
２３  記憶装置コントローラ
２４  オーディオ再生部
２５  ヘッダ解析結果保存部
２６  並行処理制御部
２７  ヘッダ情報解析部
３０  記憶装置
３１  ヘッダ解析結果保存部
４０  オーディオ再生装置
５０  記憶装置コントローラ
６０  音楽再生端末
６１  無線通信部
６２  液晶表示装置（ＬＣＤ）
６３  キー入力部
ＡＦ  オーディオファイル
ＡＨ  ヘッダ
ＡＤ  オーディオデータ
【図１】
2008059638.tif 000003
【図２】
2008059638.tif 000004
【図３】
2008059638.tif 000005
【図４】
2008059638.tif 000006
【図５】
2008059638.tif 000007
【図６】
2008059638.tif 000008
【図７】
2008059638.tif 000009
【図８】
2008059638.tif 000010
【図９】
2008059638.tif 000011
【図１０】
2008059638.tif 000012
【図１１】
2008059638.tif 000013
【図１２】
2008059638.tif 000014
【図１３】
2008059638.tif 000015
【図１４】
2008059638.tif 000016
【図１５】
2008059638.tif 000017
【図１６】
2008059638.tif 000018
【図１７】
2008059638.tif 000019
【図１８】
2008059638.tif 000020
【図１９】
2008059638.tif 000021